【手続補正書】
【提出日】平成29年12月21日(2017.12.21)
【手続補正１】
【補正対象書類名】特許請求の範囲
【補正対象項目名】全文
【補正方法】変更
【補正の内容】
【特許請求の範囲】
【請求項１】
第１の端部における入口開口部と反対側の第２の端部における出口開口部との間に延在するチャネルを画定し、高分子フィルムで構成される本体と、
前記入口開口部で前記本体に固定され、そこを通って延在し、前記チャネルと連通するポート開口部を画定する、吸気ポートと、
前記入口開口部と前記出口開口部との間に位置する第１の場所において前記チャネルと連通するように、前記本体と連結する第１の端部と、前記吸気ポート内の前記ポート開口部と連通するように前記吸気ポートと連結するか、あるいは前記吸気ポートと前記第１の場所との間に位置する第２の場所において前記チャネルと連通するように前記本体と連結する、反対側の第２の端部とを有する、チューブ状輸送ラインと、を備える、凝縮器バッグ。
【請求項２】
前記本体が、折り畳み可能な高分子バッグを備える、請求項１に記載の凝縮器バッグ。
【請求項３】
前記吸気ポートの前記ポート開口部が、４ｃｍ超の最大横径を有する、請求項１に記載の凝縮器バッグ。
【請求項４】
ポート開口部を画定する排出ポートを更に備え、前記排出ポートが、前記ポート開口部が前記本体の前記チャネルと連通するように、前記本体の前記出口開口部と連結する、請求項１に記載の凝縮器バッグ。
【請求項５】
前記本体が、前記吸気ポートに接続される第１の脚部、第２の脚部、及び前記第１の脚部と前記第２の脚部との間に延在するアームを備え、前記第１の脚部、第２の脚部、及びアームが実質的にＵ字型の構成を形成して前記チャネルがそこを通り、前記チューブ状輸送ラインの前記第２の端部が前記本体の前記第１の脚部に接続される、請求項１に記載の凝縮器バッグ。
【請求項６】
前記第１の脚部の少なくとも一部が、前記第２の脚部に対して平行に延在する、請求項５に記載の凝縮器バッグ。
【請求項７】
前記本体が、第３の脚部を更に備え、その上に前記出口開口部が形成され、前記第２の脚部と前記第３の脚部とによって画定され、それらの間で延在する前記チャネルの一部分が、実質的にＵ字型の構成を有する、請求項５に記載の凝縮器バッグ。
【請求項８】
前記チューブ状輸送ラインの前記第１の端部が、前記第２の脚部または前記第３の脚部と連結する、請求項７に記載の凝縮器バッグ。
【請求項９】
前記本体が、前記第２の脚部または前記第３の脚部から突出する延長部を更に備え、前記延長部が、前記チャネルと連通する収集ポケットを画定し、前記チューブ状輸送ラインの前記第１の端部が、前記収集ポケットと連通するように前記延長部と連結する、請求項７に記載の凝縮器バッグ。
【請求項１０】
前記本体の前記チャネルが無菌である、請求項１に記載の凝縮器バッグ。
【請求項１１】
請求項１に記載の凝縮器バッグと、
前記チューブ状輸送ラインと連結するポンプと、を備える、凝縮器システム。
【請求項１２】
第１のパネルと第２のパネルとを備える凝縮器であって、前記凝縮器バッグが、前記第１のパネルと前記第２のパネルとの間に位置付けられる、凝縮器と、
前記第１及び第２のパネルの温度を冷却するための、前記第１のパネル及び前記第２のパネルと流体連通する冷却装置と、を更に備える、請求項１１に記載の凝縮器システム。
【請求項１３】
前記凝縮器バッグの前記吸気ポートと連結する、高分子フィルムで構成される第１の可撓性バッグと、
高分子フィルムで構成され、前記凝縮器バッグの前記出口開口部と連結する第２の可撓性バッグであって、フィルタが少なくとも部分的に前記第２の可撓性バッグ内に配置される、第２の可撓性バッグと、を更に備える、請求項１１に記載の凝縮器システム。
【請求項１４】
（ａ）容器アセンブリであって、
コンパートメントを画定し、上端部及び反対側の下端部を有する折り畳み可能なバッグであって、高分子フィルムで構成され、流体を保持するように適合される、折り畳み可能なバッグと、
前記折り畳み可能なバッグの前記コンパートメント内にガスを送達するための、前記折り畳み可能なバッグの前記下端部に配置されるスパージャと、
前記折り畳み可能なバッグの前記上端部に固定される排出ポートであって、そこを通って延在し、前記折り畳み可能なバッグの前記コンパートメントと連通するポート開口部を画定する、排出ポートとを備える、容器アセンブリ、ならびに
（ｂ）凝縮器バッグであって、
第１の端部における入口開口部と、出口開口部との間で延在するチャネル、及び反対側の第２の端部を画定し、高分子フィルムで構成される本体と、
前記入口開口部で前記本体に固定され、そこを通って延在し、前記チャネルと連通するポート開口部を画定する吸気ポートであって、前記凝縮器バッグの前記本体の少なくとも一部が、前記折り畳み可能なバッグの前記上端部よりも上の高さに配置されるように、前記凝縮器バッグの前記吸気ポートが、前記折り畳み可能なバッグの前記排出ポートと連結する、吸気ポートとを備える凝縮器バッグ、を備える、液体溶液または懸濁液を混合するためのシステム。
【請求項１５】
前記凝縮器バッグの前記吸気ポートの前記ポート開口部、及び前記折り畳み可能なバッグの前記排出ポートの前記ポート開口部が、各々、５ｃｍ超の最大直径を有する、請求項１４に記載のシステム。
【請求項１６】
前記凝縮器バッグの前記吸気ポートが、前記折り畳み可能なバッグの前記上端部で、前記折り畳み可能なバッグの前記排出ポートに直接連結される、請求項１４に記載のシステム。
【請求項１７】
前記折り畳み可能なバッグを中で支持するチャンバを画定する、支持体ハウジングと、
少なくとも一部が、前記支持体ハウジングよりも上の高さに配置されるように、前記支持体ハウジングに連結される凝縮器であって、前記凝縮器バッグが前記凝縮器によって支持される、凝縮器と、を更に備える、請求項１４に記載のシステム。
【請求項１８】
前記折り畳み可能なバッグの前記上端部よりも鉛直方向で上に配置されるように、前記凝縮器バッグの前記吸気ポートよりも上に位置付けられる第１の端部を備える、前記凝縮器バッグの前記本体と、
前記凝縮器バッグの前記入口開口部と前記出口開口部との間に位置する第１の場所において前記チャネルと連通するように、前記凝縮器バッグの前記本体と連結する第１の端部と、前記吸気ポートの前記ポート開口部と連通するように前記凝縮器バッグの前記吸気ポートと連結するか、あるいは前記凝縮器バッグ内の前記チャネルと連通するように前記凝縮器バッグの前記本体の第１の端部と連結する、反対側の第２の端部とを有する、輸送ラインと、を更に備える、請求項１４に記載のシステム。
【請求項１９】
前記凝縮器バッグと連結するフィルタアセンブリを更に備え、前記フィルタアセンブリが、
高分子フィルムで構成され、コンパートメントを画定するケーシングであって、前記ケーシングが、前記凝縮器バッグの前記本体の前記出口開口部と連通する入口開口部を有し、第１の出口開口部を有し、前記ケーシングの少なくとも一部が、前記凝縮器バッグよりも上の高さに配置される、ケーシングと、
第１のフィルタであって、前記入口開口部から前記第１の出口開口部へと前記ケーシングの前記コンパートメントを通過するガスが該フィルタを通過しなければならないように、前記ケーシングの前記コンパートメント内に少なくとも部分的に配置される第１のフィルタとを備える、請求項１４に記載のシステム。
【請求項２０】
流体を処理するための方法であって、
容器のコンパートメント内に位置する流体をガスでスパージングして湿りガスを形成することと、
前記容器の前記コンパートメントから凝縮器バッグのチャネルに前記湿りガスを通すことであって、前記凝縮器バッグが、高分子フィルムで構成され、前記容器よりも上の高さに少なくとも部分的に配置される、通すことと、
前記湿りガスの少なくとも一部が液体へと凝縮し、この液体が前記凝縮器バッグ内で集まり、それによって除湿ガスが形成されるように、前記凝縮器バッグの前記チャネル内で前記湿りガスを冷却することと、を含む、方法。
【請求項２１】
前記凝縮器バッグの前記チャネルからフィルタアセンブリのコンパートメントに前記除湿ガスを通すことを更に含み、前記フィルタアセンブリが、
高分子フィルムで構成され、前記コンパートメントを画定するケーシングであって、前記ケーシングの少なくとも一部が、前記凝縮器バッグの上の高さに配置される、ケーシングと、
前記ケーシングの前記コンパートメントを通過するガスが第１のフィルタを通過しなければならないように、前記ケーシングの前記コンパートメント内に少なくとも部分的に配置される前記第１のフィルタと、を備える、請求項２０に記載の方法。
【請求項２２】
重力の下、前記容器の前記コンパートメント内に前記液体が落下するように、前記凝縮器バッグ内で収集された前記液体を、前記容器よりも上に位置する前記凝縮器バッグの前記チャネルの第１の端部に圧送することを更に含む、請求項２０に記載の方法。